(57)【特許請求の範囲】
【請求項１】
携帯無線端末による来客対応が可能なインターホン親機において、
画面表示及び音声入出力を自身の代わりに所定の人体装着無線端末に行わせる機能を有した携帯無線端末に来客通知し、該携帯無線端末から返信されてくる応答信号から応答操作がなされた端末種別を判定する応答端末判定部と、
前記端末種別の判定結果に基づいて来客画面表示、通話音声入出力の一部又は全てを前記携帯無線端末又は前記人体装着無線端末に許可する入出力制御部とを備えることを特徴とするインターホン親機。
【請求項２】
請求項１に記載のインターホン親機において、
前記応答操作がなされた端末種別が携帯無線端末であるときには、来客画面表示、通話音声入出力の全てを該携帯無線端末に許可する一方、
前記応答操作がなされた端末種別が人体装着無線端末であるときには、通話音声入出力を該人体装着無線端末に許可することを特徴とするインターホン親機。
【請求項３】
請求項２に記載のインターホン親機において、
前記応答操作がなされた端末種別が人体装着無線端末であるときには、来客画面表示を行うことを特徴とするインターホン親機。
【請求項４】
請求項１に記載のインターホン親機において、
前記応答操作がなされた端末種別が携帯無線端末であるときには、来客画面表示、通話音声入出力の全てを該携帯無線端末に許可する一方、
前記応答操作がなされた端末種別が人体装着無線端末であるときには、通話音声入力を該人体装着無線端末に許可することを特徴とするインターホン親機。
【請求項５】
請求項４に記載のインターホン親機において、
前記応答操作がなされた端末種別が人体装着無線端末であるときには、来客画面表示及び通話音声出力を行うことを特徴とするインターホン親機。
【請求項６】
請求項４又は５に記載のインターホン親機において、
前記応答操作がなされた端末種別が人体装着無線端末であるときには、前記応答操作がインターホン親機でなされたときよりも大音量で通話音声出力を行うことを特徴とするインターホン親機。
【請求項７】
請求項１に記載のインターホン親機において、
前記応答操作がなされた端末種別が人体装着無線端末であるときには該人体装着無線端末を個体識別して、通話音声入出力又は通話音声入力を、その固体認識した端末のみに許可することを特徴とするインターホン親機。
【請求項８】
請求項１乃至７のいずれか一項に記載のインターホン親機において、
居室扉の電気錠を制御する機能を有しており、
前記応答操作がなされた端末種別が人体装着無線端末であるときには、該人体装着無線端末で解錠操作が更になされると、前記電気錠を解錠させることを特徴とするインターホン親機。
【請求項９】
請求項１乃至８のいずれか一項に記載のインターホン親機に、来客を撮影するカメラ付室外子器を接続して構成されることを特徴とするインターホンシステム。
【発明の詳細な説明】
【技術分野】
【０００１】
本発明は、スマートフォン等の携帯無線端末による来客対応が可能なインターホン親機の改良に関する。
【背景技術】
【０００２】
次の特許文献には、携帯電話機能と無線通信機能とをインターフェースする無線インターフェース手段を備えたインターホン親機が記載されている。このインターホン親機は、来客映像、通話音声を、携帯電話網又は無線通信を介して携帯端末に中継するようになっている。
【先行技術文献】
【特許文献】
【０００３】
【特許文献１】特開２０１１−９７６５５号公報
【発明の概要】
【発明が解決しようとする課題】
【０００４】
ところで近時、携帯無線端末と連携して動作する例えばスマートウォッチのような人体装着無線端末が入手可能になっている。携帯無線端末とそのような人体装着無線端末とを無線接続した状態とすれば、携帯無線端末は、画面表示及び音声入出力を、自身の代わりにその人体装着無線端末に行わせることが可能になる。例えば、それによって人体装着無線端末からメール着信等を報知できる。
【０００５】
このような技術背景があって、インターホンシステムにおいても人体装着無線端末によって来客対応を可能にすることが望まれている。本発明は、そのような要望に応えて、人体装着無線端末による来客対応を快適に行えるインターホン親機及びインターホンシステムを提供することを目的としている。
【課題を解決するための手段】
【０００６】
本発明によるインターホン親機は、画面表示及び音声入出力を自身の代わりに所定の人体装着無線端末に行わせる機能を有した携帯無線端末に来客通知し、該携帯無線端末から返信されてくる応答信号から応答操作がなされた端末種別を判定する応答端末判定部と、前記端末種別の判定結果に基づいて来客画面表示、通話音声入出力の一部又は全てを前記携帯無線端末又は前記人体装着無線端末に許可する入出力制御部とを備えることを特徴とする。
【０００７】
また本発明によるインターホンシステムは、前記インターホン親機に、来客を撮影するカメラ付室外子器を接続して構成される。
【発明の効果】
【０００８】
本発明では、インターホン親機は、応答操作がなされた端末種別を判定し、その判定結果に基づいて来客画面表示、通話音声入出力の一部又は全てを携帯無線端末又は人体装着無線端末に許可するようにしている。そのため来客対応がなされた端末種別に適した態様、すなわち居住者にとって快適な態様で来客画面表示、通話音声入出力を行うことができる。
【図面の簡単な説明】
【０００９】
【図１】（ａ）は実施形態の一例とされるインターホン親機の基本構成図、（ｂ）、（ｃ）は携帯無線端末、人体装着無線端末の基本構成図である。
【図２】（ａ）〜（ｃ）はインターホン親機、携帯無線端末、人体装着無線端末のそれぞれによる来客対応の動作態様を説明する簡単なインターホンシステム図である。
【図３】（ａ）〜（ｃ）はインターホン親機、携帯無線端末、人体装着無線端末のそれぞれによる来客対応での各部の作動、不作動を示す簡単なブロック図である。
【図４】実施形態の変形例における各部の作動、不作動を示す簡単なブロック図である
【図５】携帯無線端末に複数の人体装着無線端末が同時接続されている場合での各部の作動、不作動を示す簡単なブロック図である。
【図６】インターホン親機が居室扉の電気錠を制御する機能を有するようにした変形例を示す簡単なインターホンシステム図である。
【発明を実施するための形態】
【００１０】
以下、本実施形態の一例を図に従って説明する。
ここで実施形態とされるインターホン親機は、ドアホン子器あるいは共同玄関子器等、来客を撮影するカメラ付室外子器を接続してインターホンシステムを構成する。インターホンシステムの基本機能は従来と同様である。例えばインターホン親機は、来客対応として、カメラ付室外子器が撮影した来客画面を表示しつつ通話音声を入出力させる。
【００１１】
図１（ａ）〜（ｃ）はそれぞれインターホン親機、携帯無線端末、人体装着無線端末の基本構成図である。
【００１２】
インターホン親機１０は、図１（ａ）に示すように、画面表示部１０ａと、音声出力部１０ｂと、音声入力部１０ｃと、無線通信部１０ｄと、応答端末判定部１０ｅと、入出力制御部１０ｆとを備えている。
画面表示部１０ａは、カメラ付室外子器が撮影した来客画面等を表示する要素であって、例えばタッチパネル等で構成される。音声出力部１０ｂは通話音声（来客音声）を出力する要素であって、例えばスピーカー等で構成される。音声入力部１０ｃは通話音声（居住者音声）を入力する要素であって、例えばマイク等で構成される。無線通信部１０ｄは、例えばＷｉ−Ｆｉ（登録商標）等の無線通信を行う要素であって、高周波回路、アンテナ等で構成される。
また応答端末判定部１０ｅは、携帯無線端末２０に来客通知し、携帯無線端末２０から返信されてくる応答信号から応答操作がなされた端末種別（携帯無線端末又は人体装着無線端末）を判定する要素である。入出力制御部１０ｆは、その端末種別の判定結果に基づいて来客画面表示、通話音声入出力の一部又は全てを携帯無線端末２０又は人体装着無線端末３０に許可する要素である。なお応答端末判定部１０ｅ、入出力制御部１０ｆは、例えば共通又は別体のマイコン回路等で構成される。
【００１３】
携帯無線端末２０は、例えばスマートフォンあるいはタブレットであって、図１（ｂ）に示すように、画面表示部２０ａと、音声出力部２０ｂと、音声入力部２０ｃと、無線通信部２０ｄと、簡易無線通信部２０ｅと、制御部２０ｆとを備えている。携帯無線端末２０は、バイブレーター等の報知手段を更に備えてもよい（図示なし）。
画面表示部２０ａは、来客画面等を表示する要素であって、例えばタッチパネル等で構成される。音声出力部２０ｂは通話音声を出力する要素であって、例えばスピーカー等で構成される。音声入力部２０ｃは通話音声を入力する要素であって、例えばマイク等で構成される。無線通信部２０ｄは、Ｗｉ−Ｆｉ等の無線通信を行う要素であって、高周波回路、アンテナ等で構成される。簡易無線通信部２０ｅは、例えばＢｌｕｅｔｏｏｔｈ（登録商標）等の簡易無線通信を行う要素であって、高周波回路、アンテナ等で構成される。制御部２０ｆは、前記各部を制御する要素であって、例えばマイコン回路等で構成される。
【００１４】
人体装着無線端末３０は、例えばスマートウォッチであって、図１（ｃ）に示すように、画面表示部３０ａと、音声出力部３０ｂと、音声入力部３０ｃと、簡易無線通信部３０ｅと、制御部３０ｆとを備えている。人体装着無線端末３０は、バイブレーター等の報知手段を更に備えてもよい（図示なし）。
画面表示部３０ａは、来客画面等を表示する要素であって、例えばタッチパネル等で構成される。音声出力部３０ｂは通話音声を出力する要素であって、例えばスピーカー等で構成される。音声入力部３０ｃは通話音声を入力する要素であって、例えばマイク等で構成される。簡易無線通信部３０ｅは、Ｂｌｕｅｔｏｏｔｈ等の簡易的な無線通信を行う要素であって、高周波回路、アンテナ等で構成される。制御部３０ｆは、前記各部を制御する要素であって、例えばマイコン回路等で構成される。
【００１５】
インターホン親機１０と携帯無線端末２０はＷｉ−Ｆｉ等による無線通信が可能であるが、そのためにアクセスポイント等が必要な場合がある。また携帯無線端末２０と人体装着型無線端末は直接的にＢｌｕｅｔｏｏｔｈ等による簡易無線通信が可能である。
【００１６】
Ｂｌｕｅｔｏｏｔｈでは、無線通信によって実現される機能毎にプロファイル（プロトコル）が規格化されており、通信する機器同士が共通のプロファイルを持っている場合に限り、その機能が利用できる。またＢｌｕｅｔｏｏｔｈによる通信を行うには、携帯無線端末２０と人体装着無線端末３０の間で予めペアリングしておく必要がある。
携帯無線端末２０は、Ｂｌｕｅｔｏｏｔｈによって、画面表示及び音声入出力を自身の代わりに人体装着無線端末３０に行わせる機能を有する。例えば、携帯電話する際に、人体装着無線端末３０によるハンズフリー通話が可能である。すなわち携帯無線端末２０をカバン等にしまったままでも、その携帯無線端末２０の代わりに、発着信操作、通話音声入出力等を人体装着無線端末３０に行わせることができる。このとき携帯無線端末２０は一見何もしてないように見える。本実施形態での人体装着無線端末３０による来客対応はこのハンズフリー通話の方法を発展させて実現するとよい。
【００１７】
本実施形態は、インターホン親機１０による来客対応だけでなく、携帯無線端末２０による来客対応、人体装着無線端末３０による来客対応が可能であることを特徴としている。
来客対応は、来客報知、応答操作の受け付け、来客画面表示、通話音声の入出力等の各機能要素を組み合わせて構成されている。よってこれらの機能要素を、インターホン親機１０、携帯無線端末２０、人体装着無線端末３０に適切に割り振れば、携帯無線端末２０又は人体装着無線端末３０による快適な来客対応が可能になる。
【００１８】
図２（ａ）〜（ｃ）はインターホン親機、携帯無線端末、人体装着無線端末のそれぞれによる来客対応の動作態様を説明する簡単なインターホンシステム図である。
【００１９】
インターホン親機１０は、ドアホン子器４０が接続され、また制御装置５０を介して共同玄関子器６０も接続されている。すなわち集合用インターホンシステムが構成されている。アクセスポイント７０はインターホン親機１０と携帯無線端末２０の間で無線通信を可能にするための要素である。
インターホン親機１０には、来客対応に用いる携帯無線端末２０の識別情報（例えばＭＡＣアドレス等）を予め登録しておく。インターホン親機１０はこの識別情報に基づいて携帯無線端末２０を個体認識し、登録済みの携帯無線端末２０、あるいはその携帯無線端末２０の管理下にある人体装着無線端末３０に対してのみ来客応答を許可する。
【００２０】
インターホン親機１０による来客対応は、図１（ａ）に示すように、システムに携帯無線端末２０が存在していないときになされる。インターホン親機１０は、来客対応の開始に際して携帯無線端末２０の有無を確認するが、携帯無線端末２０を見つけることができなければ、自身によって来客対応を行う。つまりインターホン親機１０が、来客報知、来客画面表示、通話音声入出力等の全てを行う。
【００２１】
携帯無線端末２０による来客対応は、図２（ｂ）に示すように、システムに携帯無線端末２０は存在しているが、人体装着無線端末３０は存在していないときになされる。すなわちインターホン親機１０が来客対応の開始に際して携帯無線端末２０の有無を確認して目的の携帯無線端末２０が見つかれば、その携帯無線端末２０に来客通知する。携帯無線端末２０はこのとき人体装着無線端末３０が存在しないため、自身によって来客報知画面表示等を行う。携帯無線端末２０で応答操作がなされると、携帯無線端末２０は、端末種別として携帯無線端末２０を示す情報を含めた応答信号をインターホン親機１０に返信する。
【００２２】
インターホン親機１０は、その応答信号から応答操作がなされた端末種別を判定する。この場合、端末種別として携帯無線端末が判定される。インターホン親機１０は、その判定結果に基づいて、来客画面表示、通話音声入出力の全てを携帯無線端末２０に許可する。これによって携帯無線端末２０が、来客画面表示、通話音声入出力の全てを行うことが可能になる。来客対応中、インターホン親機１０から携帯無線端末２０に来客画面が送られ、更に、インターホン親機１０と携帯無線端末２０との間で通話音声信号が伝送される。
【００２３】
なおインターホン親機１０は携帯無線端末２０に来客通知してから所定時間内に応答信号が返信されてこなければ、インターホン親機による来客対応を開始する。
【００２４】
人体装着無線端末３０による来客対応は、図２（ｃ）に示すように、システムに携帯無線端末２０、人体装着無線端末３０の双方が存在しているときになされる。インターホン親機１０が来客対応の開始に際して携帯無線端末２０の有無を確認して目的の携帯無線端末２０が見つかれば、その携帯無線端末２０に来客通知する。携帯無線端末２０は、このとき人体装着無線端末３０を管理しているので、人体装着無線端末３０によって来客報知画面表示等を行う。人体装着無線端末３０で応答操作がなされると、携帯無線端末２０は、端末種別として人体装着無線端末３０を示す情報を含めた応答信号をインターホン親機１０に返信する。
【００２５】
インターホン親機１０は、その応答信号から応答操作がなされた端末種別を判定する。この場合、端末種別として人体装着無線端末が判定される。インターホン親機１０は、その判定結果に基づいて、通話音声入出力を人体装着無線端末３０に許可する。これによって、人体装着無線端末３０が、通話音声入出力を行うことが可能になる。このときインターホン親機１０は来客画面表示を行うとよい。来客対応中、インターホン親機１０と人体装着無線端末３０との間で、携帯無線端末２０を介して通話音声信号が伝送される。
【００２６】
なお携帯無線端末２０は、人体装着無線端末３０を管理しているときにその人体装着無線端末３０による来客対応を許可するか否かを予め設定できる。
【００２７】
図３（ａ）〜（ｃ）はインターホン親機、携帯無線端末、人体装着無線端末のそれぞれによる来客対応での各機器の画面表示部、音声出力部、音声入力部の作動、不作動を示す簡単なブロック図である。図中の×印はその要素が不作動とされていることを示す。
【００２８】
インターホン親機１０による来客対応では、図３（ａ）に示すように、インターホン親機１０の画面表示部１０ａ、音声出力部１０ｂ、音声入力部１０ｃが作動されている。このようにすればインターホン親機１０による来客画面を見ながらの音声通話が実現できる。
【００２９】
携帯無線端末２０による来客対応では、図３（ｂ）に示すように、携帯無線端末２０の画面表示部２０ａ、音声出力部２０ｂ、音声入力部２０ｃが作動されている。このようにすれば携帯無線端末２０による来客画面を見ながらの音声通話が実現できる。
【００３０】
人体装着無線端末３０による来客対応では、図３（ｃ）に示すように、インターホン親機１０の画面表示部１０ａと、人体装着無線端末３０の音声出力部３０ｂ、音声入力部３０ｃとが作動されている。このようにすればインターホン親機１０に来客画面を表示させながらの人体装着無線端末３０による音声通話が実現できる。例えば家族の帰宅の場合は、通話の声から家族の帰宅であることがわかるので、人体装着無線端末２０による通話のみで対応しても特に問題はない。一方知らない人の場合は、インターホン親機１０に表示された来客画面を見て安全に対応できる。また人体装着無線端末３０の画面表示部３０ａが小さいため来客画面が見にくいという問題も生じない。
【００３１】
以上のように本実施形態では、インターホン親機１０は、応答操作がなされた端末種別を判定し、その判定結果に基づいて来客画面表示、通話音声入出力の一部又は全てを携帯無線端末２０又は人体装着無線端末３０に許可するようにしている。そのため来客対応がなされた端末種別に適した態様、すなわち居住者にとって快適な態様で来客画面表示、通話音声入出力を行うことができる。
【００３２】
図４は、実施形態の変形例における各機器の画面表示部、音声出力部、音声入力部の作動、不作動を示す簡単なブロック図である。インターホン親機１０あるいは携帯無線端末２０による来客対応は前記と同様である。よってこの図では、人体装着無線端末３０による来客対応のみを示している。
インターホン親機１０は、応答操作がなされた端末種別が人体装着無線端末であるときには、自身によって来客画面表示、通話音声出力を行い、通話音声入出力を人体装着無線端末３０に許可するように構成されている。そのため、人体装着無線端末３０による来客対応では、インターホン親機１０の画面表示部１０ａ、音声出力部１０ｂと、人体装着無線端末３０の音声入力部３０ｃとが作動されている。このようにすればインターホン親機１０に来客画面を表示させながら、インターホン親機１０の音声出力部１０ｂと、人体装着無線端末３０の音声入力部３０ｃとを用いた音声通話が実現できる。よって人体装着無線端末３０の音声出力の音量が小さいため通話音声（来客音声）が聴き取り難いという不具合が生じない。
更に、インターホン親機１０は、応答操作がなされた端末種別が人体装着無線端末３０であるときには、応答操作がインターホン親機１０でなされたときよりも大音量で通話音声出力を行うようにするとよい。そうすれば前記効果が一層発揮される。
【００３３】
ところで携帯無線端末には複数の人体装着無線端末が同時接続できるものがある。このような場合を想定して、インターホン親機１０は、応答操作がなされた端末種別が人体装着無線端末であるときには、その人体装着無線端末を個体識別して、通話音声入出力又は通話音声入力を、その固体認識した端末のみに許可するように構成してもよい。
【００３４】
図５は、携帯無線端末に複数の人体装着無線端末が同時接続されている場合での各機器の画面表示部、音声出力部、音声入力部の作動、不作動を示す簡単なブロック図である。インターホン親機１０あるいは携帯無線端末２０による来客対応は前記と同様である。よってこの図では、複数の人体装着無線端末３０＃１、３０＃２・・・の内の一台による来客対応のみを示している。
インターホン親機１０は、応答操作がなされた端末種別が人体装着無線端末であるときには、その人体装着無線端末３０＃１を個体識別して、通話音声入出力又は通話音声入力を、その固体認識した人体装着無線端末３０＃１のみに許可するように構成されている。そのため人体装着無線端末３０＃１で応答操作がなされたと想定して、図面ではインターホン親機１０の画面表示部１０ａ、音声出力部１０ｂと、人体装着無線端末３０＃１の音声入力部３０ｃとが作動されている。このようにすれば、複数の居住者がそれぞれ人体装着無線端末３０＃１、・・・を装着している場合でも、応答操作をした居住者がスムーズに来客対応することができる。
【００３５】
図６は、インターホン親機が居室扉の電気錠を制御する機能を有するようにした変形例を示す簡単なインターホンシステム図である。
インターホン親機１０は自身によって来客対応を行っている間に解錠操作を受け付けると、居室の電気錠８０を解錠できるように構成されている。そのようなインターホン親機１０は、更に、応答操作がなされた端末種別が人体装着無線端末であれば、その人体装着無線端末３０での解錠操作に基づいて居室扉の電気錠８０を解錠するように構成すると利便である。そうすれば、応答操作がなされた人体装着無線端末３０によって居室扉の解錠もできるので使い勝手が大いに向上する。
【符号の説明】
【００３６】
１０            インターホン親機
１０ｅ          応答端末判定部
１０ｆ          入出力制御部
２０            携帯無線端末
３０            人体装着無線端末
４０、６０      カメラ付室外子器
【図１】
0006481982.tif 000002
【図２】
0006481982.tif 000003
【図３】
0006481982.tif 000004
【図４】
0006481982.tif 000005
【図５】
0006481982.tif 000006
【図６】
0006481982.tif 000007